(57)【要約】【課題】  ゲートノズルを流れる溶融樹脂の流量を連続的に変えることができるバルブゲートを提供する。【解決手段】  ゲートノズル４を流れる溶融樹脂の流量を調整するバルブゲート１であって、大径孔４ａと小径孔４ｂからなるゲートノズル４と、流量調整部５ｂと小径部５ａ，５ｃからなるバルブピン５を形成し、流量調整部５ｂの側面に溝６を設けたバルブピン５をゲートノズル４の小径孔４ｂに摺動自在に嵌装し、バルブピン５の流量調整部５ｂをゲートノズル４の大径孔４ａと小径孔４ｂの間で進退動させ、バルブピン５の溝６とゲートノズル４の小径孔４ｂの壁面４ｃとで形成される流路７の長さを変える。【選択図】        図１
2011079266.tif 000002
【特許請求の範囲】
【請求項１】
ゲートノズルを流れる溶融樹脂の流量を調整するバルブゲートであって、このバルブゲートは大径孔と小径孔が形成されたゲートノズルと、前記小径部に摺動自在に嵌装される流量調整部を備えたバルブピンとを備え、前記流量調整部の側面には前記ゲートノズルの小径孔壁面との間で流路を形成する溝部が形成され、前記バルブピンを操作して前記小径孔に対して流量調整部を進退させることで前記溝部と小径孔壁面との間の流路長を変化させることを特徴とするバルブゲート。
【請求項２】
請求項１に記載のバルブゲートにおいて、前記溝の形状は螺旋状若しくは前記バルブピンの軸方向に平行な直線状であることを特徴とするバルブゲート。
【発明の詳細な説明】
【技術分野】
【０００１】
本発明は、射出成形においてゲートノズルを流れる溶融樹脂の流量を調整するためのバルブゲートに関する。
【背景技術】
【０００２】
従来、ゲートノズルを流れる溶融樹脂の流量を調整する手段としては、溶融樹脂の流路にニードルバルブを構成したり、溶融樹脂が流れる流路の幅を変更したり、内径の異なる複数の流路から必要な流路を選択したりする発明が開示されている（例えば、特許文献１参照）。
【先行技術文献】
【特許文献】
【０００３】
【特許文献１】特開平１−１２８８１８号公報
【発明の概要】
【発明が解決しようとする課題】
【０００４】
しかし、特許文献１に記載の発明においては、溶融樹脂の微妙な流量の調整が困難だったり、段階的にしか溶融樹脂の流量を変更したりすることができず、溶融樹脂の流量を連続的に変えることができないという問題がある。
【０００５】
本発明は、従来の技術が有するこのような問題点に鑑みてなされたものであり、その目的とするところは、ゲートノズルを流れる溶融樹脂の流量を連続的に変えることができるバルブゲートを提供しようとするものである。
【課題を解決するための手段】
【０００６】
上記課題を解決すべく本発明は、ゲートノズルを流れる溶融樹脂の流量を調整するバルブゲートであって、このバルブゲートは大径孔と小径孔が形成されたゲートノズルと、前記小径部に摺動自在に嵌装される流量調整部を備えたバルブピンとを備え、前記流量調整部の側面には前記ゲートノズルの小径孔壁面との間で流路を形成する溝部が形成され、前記バルブピンを操作して前記小径孔に対して流量調整部を進退させることで前記溝部と小径孔壁面との間の流路長を変化させる構成とした。
【０００７】
また、バルブピンの流量調整部の側面に設ける溝の形状としては、螺旋状或いはピンの軸方向に伸びる直線状の溝とすることが考えられる。
【発明の効果】
【０００８】
本発明によれば、バルブピンの流量調整部をゲートノズルの大径孔と小径孔の間で進退動させると、流量調整部の溝とゲートノズルの小径孔壁面とで形成される流路の長さが変化し、この流路が長くなれば溶融樹脂の流路抵抗が大きくなるため流量は減少し、短くなれば溶融樹脂の流路抵抗が小さくなるので、流量を調整することができる。
【０００９】
特に従来にあっては流量の微調整が困難であったが、本発明に係るバルブゲートによれば、バルブピンのストロークに対する感度が鈍いため、微調整が容易に行える。
【００１０】
また、溝の形状を螺旋形状にすれば、バルブピンの移動長に対する流路長の変化を大きくすることができるのでコンパクト化が図れ、バルブピンの流量調整部の側面に設けた溝の形状を、バルブピンの軸方向で直線形状にすれば、加工が容易になる。
【図面の簡単な説明】
【００１１】
【図１】本発明に係るバルブゲートの一部断面の側面図
【図２】本発明に係るバルブゲートの動作説明図で、（ａ）はシャットオフ状態、（ｂ）は流量調整状態、（ｃ）はフルオープン状態
【図３】溝の形状を直線形状にした場合のバルブゲートの動作説明図で、（ａ）はシャットオフ状態、（ｂ）は流量調整状態、（ｃ）はフルオープン状態
【発明を実施するための形態】
【００１２】
以下に本発明の実施の形態を添付図面に基づいて説明する。本発明に係るバルブゲート１は、図１に示すように、ボディ２とボディ２に接続されたマニホールド３に形成したゲートノズル４と、ゲートノズル４に嵌挿したバルブピン５を備えている。
【００１３】
前記ゲートノズル４は大径孔４ａと小径孔４ｂからなり、バルブピン５は小径の連結部５ａと大径の流量調整部５ｂと小径の先端部５ｃからなる。ゲートノズル４の大径孔４ａは、溶融樹脂の供給側と連通し、ゲートノズル４の小径孔４ｂは、射出成形用金型のゲートに連通している。
【００１４】
バルブピン５の流量調整部５ｂには、バルブピン５の軸方向に螺旋形状の溝６が形成されている。また、バルブピン５の流量調整部５ｂは、ゲートノズル４の小径孔４ｂに摺動自在に嵌装することができる。バルブピン５の連結部５ａ，先端部ｃは、ゲートノズル４の大径孔４ａ又は小径孔４ｂに遊挿状態になっている。
【００１５】
そして、バルブピン５の流量調整部５ｂをゲートノズル４の小径孔４ｂに嵌装させた状態で、溝６と小径孔４ｂの壁面４ｃとで、溶融樹脂の流路７が形成される。また、駆動手段（不図示）により、バルブピン５を操作することで、流量調整部５ｂを小径孔４ｂに対して進退動させることができる。尚、図１は図２（ｂ）と同じバルブゲート１の流量調整状態を示している。
【００１６】
以上のように構成された本発明に係るバルブゲート１の動作について説明する。先ず、バルブゲート１のシャットオフ状態は、図２（ａ）に示すように、バルブピン５を前進させ、バルブピン５の流量調整部５ｂ全体がゲートノズル４の小径孔４ｂに嵌合状態にある場合である。
【００１７】
この状態では、溝６がゲートノズル４の小径孔４ｂに臨むことができるものの大径孔４ａには臨むことができず、流路７が大径孔４ａと断絶状態になるので、溶融樹脂は大径孔４ａから小径孔４ｂに流れることができない。
【００１８】
次に、バルブゲート１の流量調整状態は、図２（ｂ）に示すように、バルブピン５の流量調調整部５ｂの一部がゲートノズル４の小径孔４ｂに嵌合状態にある場合である。
【００１９】
この状態では、矢印に示すように、溶融樹脂が大径孔４ａに臨む溝６から、溝６と小径孔４ｂの壁面４ｃとで形成される流路７を通って小径孔４ｂに至ることができる。
【００２０】
この時、溝６と小径孔４ｂの壁面４ｃとで形成される流路７の長さによって、溶融樹脂の流路抵抗が変化するので、バルブピン５の流量調調整部５ｂをゲートノズル４の大径孔４ａと小径孔４ｂの間で駆動手段（不図示）により進退動させることで、ゲートノズル４を流れる溶融樹脂の流量を調整することができる。
【００２１】
次に、バルブゲート１のフルオープン状態は、図２（ｃ）に示すように、バルブピン５を後退させ、バルブピン５の流量調調整部５ｂ全体がゲートノズル４の大径孔４ａに遊挿状態にある場合である。この状態では、矢印に示すように、流路７に関係なく、大径孔４ａと小径孔４ｂが連通状態になるので、溶融樹脂を最大量流すことができる。
【００２２】
図３は、バルブピン５の流量調調整部５ｂにバルブピン５の軸方向に直線形状の溝１６を形成した場合のバルブゲート１の動作説明図で、（ａ）はシャットオフ状態、（ｂ）は流量調整状態、（ｃ）はフルオープン状態を示す。
【００２３】
この実施例では、流路抵抗を発生させる流路として、前記螺旋状の溝６の代わりに直線形状の溝１６を軸方向に複数本形成している。溝１６の本数は、溝１６の大きさなどを考慮して任意に設定することができる。その他の構成及び作用効果は、図１及び図２に示す螺旋形状の溝６の場合と同様なので、説明を省略する。
【産業上の利用可能性】
【００２４】
本発明によれば、コンパクトな構造で、ゲートノズルを流れる溶融樹脂の流量を連続的に変えることが可能なバルブゲートを提供することができる。
【符号の説明】
【００２５】
１…バルブゲート、４…ゲートノズル、４ａ…大径孔、４ｂ…小径孔、４ｃ…壁面、５…バルブピン、５ａ…小径連結部  ５ｂ…流量調整部、５ｃ…小径先端部、６，１６…溝、７…流路。
【図１】
2011079266.tif 000003
【図２】
2011079266.tif 000004
【図３】
2011079266.tif 000005